(57)【特許請求の範囲】
【請求項１】
コンタクトレンズを収納するための包装容器であって、
フランジ部（３０）と、
フランジ部（３０）の上面視における一方の側である正面側に偏って設けられ、下方に向けて凹状に形成されたレンズ収納部（２０）と、
フランジ部の辺部から形成された壁部で、フランジ部の右側面側から正面側を経て左側面側にまで形成された壁部（４０）と、
フランジ部の下面における右側面側の位置で左右方向において右側面側の壁部よりも内側の位置における包装容器の前後方向の中央位置に設けられた第１係合部で、フランジ部の下面から下方に突出して形成された第１係合部本体（５２）と、第１係合部本体の下面から下方に突出して形成された第１突状部（５４）と、第１係合部本体の下面に形成された第１穴部（５６）とを有し、第１突状部と第１穴部とは、前後方向の同一直線上に設けられ、第１突状部が第１穴部よりも正面側と背面側の一方の側に設けられた第１係合部（５０）と、
フランジ部の下面における左側面側の位置で左右方向において左側面側の壁部よりも内側の位置における包装容器の前後方向の中央位置に設けられた第２係合部で、フランジ部の下面から下方に突出して形成された第２係合部本体（６２）と、第２係合部本体の下面から下方に突出して形成された第２突状部（６４）と、第２係合部本体の下面に形成された第２穴部（６６）とを有し、第２突状部と第２穴部とは、前後方向の同一直線上に設けられ、第２突状部が第２穴部よりも正面側と背面側の他方の側に設けられた第２係合部（６０）と、
を有し、
２つの包装容器の下面側を互いに対向させるとともに、包装容器の前後方向の向きを逆にして、互いに対向する第１係合部における一方の第１係合部の第１突状部が他方の第１係合部の第１穴部に嵌合するとともに、他方の第１係合部の第１突状部が一方の第１係合部の第１穴部に嵌合して、第１係合部同士が係合し、互いに対向する第２係合部における一方の第２係合部の第２突状部が他方の第２係合部の第２穴部に嵌合するとともに、他方の第２係合部の第２突状部が一方の第２係合部の第２穴部に嵌合して、第２係合部同士が係合することにより２つの包装容器が一体に組み立てられることを特徴とするコンタクトレンズ用包装容器。
【請求項２】
コンタクトレンズを収納するための包装容器であって、
上面視で略長方形状の外形を有するフランジ部（３０）と、
フランジ部における長手方向における一方の側である正面側に偏って設けられ、下方に向けて凹状に形成されたレンズ収納部（２０）と、
フランジ部の辺部から形成された壁部で、フランジ部の正面側の端部から下方に形成された正面壁部（４２）と、フランジ部の右側面側の端部から下方に向けて連設されるとともに、正面壁部と連設された右壁部（４４）と、フランジ部の左側面部側の端部から下方に向けて連設されるとともに、正面壁部と連設された左壁部（４６）とを有する壁部（４０）と、
フランジ部の下面における右側面側の位置で左右方向において右壁部よりも内側の位置における包装容器の前後方向の中央位置に設けられた第１係合部で、フランジ部の下面から下方に突出して形成された第１係合部本体（５２）と、第１係合部本体の下面から下方に突出して形成された第１突状部（５４）と、第１係合部本体の下面に形成された第１穴部（５６）とを有し、第１突状部と第１穴部とは、前後方向の同一直線上に設けられるとともに、包装容器の前後方向の中央位置から等距離の位置に設けられ、第１突状部が第１穴部よりも正面側と背面側の一方の側に設けられた第１係合部（５０）と、
フランジ部の下面における左側面側の位置で左右方向において左壁部よりも内側の位置における包装容器の前後方向の中央位置に設けられた第２係合部で、フランジ部の下面から下方に突出して形成された第２係合部本体（６２）と、第２係合部本体の下面から下方に突出して形成された第２突状部（６４）と、第２係合部本体の下面に形成された第２穴部（６６）とを有し、第２突状部と第２穴部とは、前後方向の同一直線上に設けられるとともに、包装容器の前後方向の中央位置から等距離の位置に設けられ、第２突状部が第２穴部よりも正面側と背面側の他方の側に設けられた第２係合部（６０）と、
を有し、
２つの包装容器の下面側を互いに対向させるとともに、包装容器の前後方向の向きを逆にして、互いに対向する第１係合部における一方の第１係合部の第１突状部が他方の第１係合部の第１穴部に嵌合するとともに、他方の第１係合部の第１突状部が一方の第１係合部の第１穴部に嵌合して、第１係合部同士が係合し、互いに対向する第２係合部における一方の第２係合部の第２突状部が他方の第２係合部の第２穴部に嵌合するとともに、他方の第２係合部の第２突状部が一方の第２係合部の第２穴部に嵌合して、第２係合部同士が係合することにより２つの包装容器が一体に組み立てられることを特徴とするコンタクトレンズ用包装容器。
【請求項３】
フランジ部が、レンズ収納部から連設され略平板状のフランジ部本体と、フランジ部本体の背面側の端部から連設され、背面側に向けて下方に傾斜して形成された略平板状の傾斜部とを有し、
右壁部が、傾斜部の傾斜角度に対応して背面側に向けて下方に傾斜した第１下辺（４４ａ）を有する第１領域（４４−１）と、第１領域の背面側の端部から連設された第２領域で、第１下辺の背面側の端部から連設された第２下辺でフランジ部本体の下面と平行な第２下辺（４４ｂ）を有する第２領域（４４−２）と、第２領域の背面側の端部から連設された第３領域で、第２下辺の背面側の端部から連設された第３下辺で背面側に向けて上方に傾斜した第３下辺（４４ｃ）を有する第３領域（４４−３）とを有し、右壁部の第３領域の背面側の端部が、包装容器の前後方向の中心位置よりも背面側に位置し、
左壁部が、傾斜部の傾斜角度に対応して背面側に向けて下方に傾斜した第１下辺（４６ａ）を有する第１領域（４６−１）と、第１領域の背面側の端部から連設された第２領域で、第１下辺の背面側の端部から連設された第２下辺でフランジ部本体の下面と平行な第２下辺（４６ｂ）を有する第２領域（４６−２）と、第２領域の背面側の端部から連設された第３領域で、第２下辺の背面側の端部から連設された第３下辺で背面側に向けて上方に傾斜した第３下辺（４６ｃ）を有する第３領域（４６−３）とを有し、左壁部の第３領域の背面側の端部が、包装容器の前後方向の中心位置よりも背面側に位置し、
右壁部と左壁部とが左右対称に形成され、
２つの包装容器を第１係合部同士を係合するとともに第２係合部同士を係合して一体に組み立てた場合に、
一方の包装容器における右壁部の第１下辺に沿って他方の包装容器における傾斜部の右側面側の端部（３６ａ）が位置し、一方の包装容器における右壁部の第２下辺に沿って他方の包装容器におけるフランジ部本体の右側面側の端部であって右壁部よりも背面側の端部（３２ａ）が位置し、一方の包装容器における右壁部の第３下辺に沿って他方の包装容器における右壁部の第３下辺が位置し、一方の包装容器におけるフランジ部本体の右側面側の端部であって右壁部よりも背面側の端部（３２ａ）に沿って他方の包装容器における右壁部の第２下辺が位置し、一方の包装容器における傾斜部の右側面側の端部（３６ａ）に沿って他方の包装容器における右壁部の第１下辺が位置し、
一方の包装容器における左壁部の第１下辺に沿って他方の包装容器における傾斜部の左側面側の端部（３６ｂ）が位置し、一方の包装容器における左壁部の第２下辺に沿って他方の包装容器におけるフランジ部本体の左側面側の端部であって左壁部よりも背面側の端部（３２ｂ）が位置し、一方の包装容器における左壁部の第３下辺に沿って他方の包装容器における左壁部の第３下辺が位置し、一方の包装容器におけるフランジ部本体の左側面側の端部であって左壁部よりも背面側の端部（３２ｂ）に沿って他方の包装容器における左壁部の第２下辺が位置し、一方の包装容器における傾斜部の左側面側の端部（３６ｂ）に沿って他方の包装容器における左壁部の第１下辺が位置することを特徴とする請求項２に記載のコンタクトレンズ用包装容器。
【請求項４】
右壁部における第２領域のフランジ部本体の下面位置から第２下辺までの長さが、第１係合部の上端位置であるフランジ部本体の下面位置から第１突状部の先端までの長さよりも長く形成され、
左壁部における第２領域のフランジ部本体の下面位置から第２下辺までの長さが、第２係合部の上端位置であるフランジ部本体の下面位置から第２突状部の先端までの長さよりも長く形成されていることを特徴とする請求項３に記載のコンタクトレンズ用包装容器。
【請求項５】
傾斜部の背面側の端部は左右方向に直線状に形成され、正面壁部の下辺には切欠部（４２Ｋ）が形成され、２つの包装容器を第１係合部同士を係合するとともに第２係合部同士を係合して一体に組み立てた場合に、正面壁部の下辺と傾斜部の背面側の端部とにより囲まれた開口部（１０Ｋ）が形成されることを特徴とする請求項３又は４に記載のコンタクトレンズ用包装容器。
【請求項６】
コンタクトレンズを収納するためのブリスターパックであって、
請求項１又は２又は３又は４又は５に記載のコンタクトレンズ用包装容器の複数が一列に配列された包装容器群（１０Ｇ）と、
包装容器群における各包装容器のフランジ部の上面におけるレンズ収納部の外周部に貼り付けられたカバーシートで、隣接する包装容器の境界位置に切目線が形成されたカバーシート（８０）と、
を有することを特徴とするブリスターパック。
【請求項７】
コンタクトレンズを収納するためのブリスターパックであって、
請求項３又は４又は５に記載のコンタクトレンズ用包装容器の複数が一列に配列された包装容器群（１０Ｇ）と、
包装容器群における各包装容器のフランジ部の上面におけるレンズ収納部の外周部に貼り付けられ、包装容器の背面方向には傾斜部の上方位置まで形成されたカバーシートで、隣接する包装容器の境界位置に切目線が形成されたカバーシート（８０）と、
を有することを特徴とするブリスターパック。
【請求項８】
コンタクトレンズ用包装容器のフランジ部におけるレンズ収納部の外周部には上方に突出したリング状の突出部（３４）が設けられ、カバーシートは、該突出部に貼り付けられていることを特徴とする請求項６又は７に記載のブリスターパック。
【発明の詳細な説明】
【技術分野】
【０００１】
本発明は、コンタクトレンズの包装容器に関するものである。
【背景技術】
【０００２】
従来より、プラスチック材料により形成されたコンタクトレンズ包装容器が存在するが、その中で、２つのコンタクトレンズを１つのユニットとすることができ、特に、コンタクトレンズを収納する窪みの開口部側とは反対側を互いに対向させるとともに、一方の包装容器を他方の包装容器に対して１８０度回転した状態で１つのユニットにすることができる包装容器として、特許文献１、特許文献２に記載のものが存在する。
【０００３】
特許文献１のコンタクトレンズパッケージにおいては、基板部材１２の両側部における一方の側であるＳ１側に主壁２８ａと副壁３０ａが設けられ、他方の側であるＳ２側に主壁２８ｂと副壁３０ｂが設けられている。主壁２８ａと副壁３０ａは間隔をおいて平行な面上に配置され、主壁２８ｂと副壁３０ｂは間隔をおいて平行な面上に配置されている。これにより、一方の包装容器の主壁と他方の包装容器の副壁の摩擦接触と他方の包装容器の主壁と一方の包装容器の副壁の摩擦接触により１つのユニットとすることができる。すなわち、計４対の互いに平行な壁の摩擦接触により１つのユニットとすることができる。
【０００４】
また、特許文献２のコンタクトレンズパッケージにおいては、第１の実施態様では、サポート１２（１２’）の上面１６（１６’）の外周から下方に伸びる足部２４（２４’）、２６（２６’）、２８（２８’）が設けられ、各足部の末端には、つかみ３０（３０’）が設けられていて、２つのパッケージの底面を互いに向き合わせて位置させ、一方のパッケージを他方のパッケージに対して１８０度回転した状態とすると、一方のパッケージの足部２４が他方のパッケージの足部２６’、２８’間に位置し、他方のパッケージの足部２４’が一方のパッケージの足部２６、２８間に位置し、２つのパッケージを互いに押しつけることにより、一方のパッケージの各足部のつかみ３０が他方のパッケージのスカート１８’に係合し、他方のパッケージの各足部のつかみ３０’が一方のパッケージのスカート１８に係合することにより１つのユニットとなる。
【０００５】
また、特許文献２における第２の実施態様では、パッケージの長手方向の一方の側に足部１０２（１０２’）と足部１０３（１０３’）と足部１０４（１０４’）が間隔を介して設けられ、他方の側に足部１０５（１０５’）と足部１０６（１０６’）と足部１０７（１０７’）が間隔を介して設けられ、２つのパッケージの底面を互いに向き合わせて位置させ、一方のパッケージを他方のパッケージに対して１８０度回転した状態として互いに引き合わせることにより、足部１０２の外側に足部１０５’がかみ合い、足部１０３の内側に足部１０６’がかみ合い、足部１０４の外側に足部１０７’がかみ合い、足部１０５の内側に足部１０２’がかみ合い、足部１０６の外側に足部１０３’がかみ合い、足部１０７の内側に足部１０４’がかみ合うことにより、１つのユニットとなる。
【先行技術文献】
【特許文献】
【０００６】
【特許文献１】特許第４６４２８５１号公報
【特許文献２】特許第３２２１６８４号公報
【発明の概要】
【発明が解決しようとする課題】
【０００７】
しかし、特許文献１のコンタクトレンズパッケージや特許文献２の第２の実施態様のコンタクトレンズパッケージでは、壁部（足部）同士を摩擦によりかみ合わせるので、一対のパッケージが１つにユニット化されている状態から互いにずれてしまうおそれがある。すなわち、特許文献１のコンタクトレンズパッケージでは、主壁と副壁とが間隔をおいて平行な面上に配置されているので、一対のパッケージがユニット化された状態から横方向の長手方向に互いに離れる方向にずれる可能性があり、また、特許文献２における第２の実施態様においても、１つにユニット化した一対のパッケージにおいて、外側に位置する足部が隣接した状態となっている（例えば、特許文献２の第９図では、足部１０３とその両側の足部１０５’、１０７’とは互いに隣接している）が、隣接した外側の足部間に間隔が設けられているので、一方のパッケージが他方のパッケージに対して回転方向にずれてしまうおそれがある。
【０００８】
また、特許文献２の第１の実施態様のコンタクトレンズパッケージでは、つかみがスカートの外側に係合するので、つかみが外部と接触しやすく、予期しない状態で容易にユニット化が解除してしまうおそれがある。例えば、１つにユニット化されたパッケージをポケットに収納した状態から取り出す際に、つかみがポケットの縁に引っ掛かることにより係合が外れてしまうおそれがある。また、特許文献２の第２の実施態様のコンタクトレンズパッケージにおいても、長い足部１０５、１０５’、１０７、１０７’の末端１２２、１２２’、１２３、１２３’が摩擦により反対側のパッケージのスカート１１６、１１６’の外側に係合するので、長い足部が外部と接触しやすく、予期しない状態で容易にユニット化が解除してしまうおそれがある。
【０００９】
そこで、本発明は、一対の包装容器を１つにユニット化した状態から各包装容器が互いにずれるおそれがなく、また、ユニット化された状態において、ユニット化するための部材が外部と接触することにより容易にユニット化が解除されることがないコンタクトレンズ包装容器を提供することを目的とするものである。
【課題を解決するための手段】
【００１０】
本発明は上記問題点を解決するために創作されたものであって、第１には、コンタクトレンズを収納するための包装容器であって、フランジ部（３０）と、フランジ部（３０）の上面視（平面視としてもよい）における一方の側である正面側に偏って設けられ、下方に向けて凹状に形成されたレンズ収納部（２０）と、フランジ部の辺部から形成された壁部で、フランジ部の右側面側から正面側を経て左側面側にまで形成された壁部（４０）と、フランジ部の下面における右側面側の位置で左右方向において右側面側の壁部よりも内側の位置における包装容器の前後方向の中央位置に設けられた第１係合部で、フランジ部の下面から下方に突出して形成された第１係合部本体（５２）と、第１係合部本体の下面から下方に突出して形成された第１突状部（５４）と、第１係合部本体の下面に形成された第１穴部（５６）とを有し、第１突状部と第１穴部とは、前後方向の同一直線上に設けられ、第１突状部が第１穴部よりも正面側と背面側の一方の側に設けられた（「第１突状部が正面側と背面側の一方である第１の側に設けられるとともに、第１穴部が正面側と背面側の他方である第２の側に設けられた」としてもよい）第１係合部（５０）と、フランジ部の下面における左側面側の位置で左右方向において左側面側の壁部よりも内側の位置における包装容器の前後方向の中央位置に設けられた第２係合部で、フランジ部の下面から下方に突出して形成された第２係合部本体（６２）と、第２係合部本体の下面から下方に突出して形成された第２突状部（６４）と、第２係合部本体の下面に形成された第２穴部（６６）とを有し、第２突状部と第２穴部とは、前後方向の同一直線上に設けられ、第２突状部が第２穴部よりも正面側と背面側の他方の側に設けられた（「第２突状部が第２の側に設けられるとともに、第２穴部が第１の側に設けられた」としてもよい）第２係合部（６０）と、を有し、２つの包装容器の下面側を互いに対向させるとともに、包装容器の前後方向の向きを逆にして、互いに対向する第１係合部における一方の第１係合部の第１突状部が他方の第１係合部の第１穴部に嵌合するとともに、他方の第１係合部の第１突状部が一方の第１係合部の第１穴部に嵌合して、第１係合部同士が係合し、互いに対向する第２係合部における一方の第２係合部の第２突状部が他方の第２係合部の第２穴部に嵌合するとともに、他方の第２係合部の第２突状部が一方の第２係合部の第２穴部に嵌合して、第２係合部同士が係合することにより２つの包装容器が一体に組み立てられることを特徴とする。
【００１１】
第１の構成の包装容器においては、第１係合部と第２係合部により一対の包装容器を１つにユニット化することができ、右眼用のコンタクトレンズを収納するとともにレンズ収納部を封止した包装容器と左眼用のコンタクトレンズを収納するとともにレンズ収納部を封止した包装容器を１つにユニット化して携帯することができる。
【００１２】
また、包装容器においては、第１係合部と第２係合部のそれぞれにおいて、突状部が穴部に嵌合することにより第１係合部同士や第２係合部同士が係合するので、一対の包装容器を１つにユニット化した状態から各包装容器が互いにずれるおそれがない。
【００１３】
また、第１係合部は左右方向において右壁部の内側に設けられ、第２係合部は左右方向において左壁部の内側に設けられているので、一対の包装容器が第１係合部と第２係合部により一体化した状態でも、ユニット化するための部材（つまり、第１係合部と第２係合部）が外部と接触することにより容易にユニット化が解除されることがない。
【００１４】
また、第２には、コンタクトレンズを収納するための包装容器であって、上面視（平面視としてもよい）で略長方形状の外形を有するフランジ部（３０）と、フランジ部における長手方向における一方の側である正面側に偏って設けられ、下方に向けて凹状に形成されたレンズ収納部（２０）と、フランジ部の辺部から形成された壁部で、フランジ部の正面側の端部から下方に形成された正面壁部（４２）と、フランジ部の右側面側の端部から下方に向けて連設されるとともに、正面壁部と連設された右壁部（４４）と、フランジ部の左側面部側の端部から下方に向けて連設されるとともに、正面壁部と連設された左壁部（４６）とを有する壁部（４０）と、フランジ部の下面における右側面側の位置で左右方向において右壁部よりも内側の位置における包装容器の前後方向の中央位置に設けられた第１係合部で、フランジ部の下面から下方に突出して形成された第１係合部本体（５２）と、第１係合部本体の下面から下方に突出して形成された第１突状部（５４）と、第１係合部本体の下面に形成された第１穴部（５６）とを有し、第１突状部と第１穴部とは、前後方向の同一直線上に設けられるとともに、包装容器の前後方向の中央位置から等距離の位置に設けられ、第１突状部が第１穴部よりも正面側と背面側の一方の側に設けられた第１係合部（５０）と、フランジ部の下面における左側面側の位置で左右方向において左壁部よりも内側の位置における包装容器の前後方向の中央位置に設けられた第２係合部で、フランジ部の下面から下方に突出して形成された第２係合部本体（６２）と、第２係合部本体の下面から下方に突出して形成された第２突状部（６４）と、第２係合部本体の下面に形成された第２穴部（６６）とを有し、第２突状部と第２穴部とは、前後方向の同一直線上に設けられるとともに、包装容器の前後方向の中央位置から等距離の位置に設けられ、第２突状部が第２穴部よりも正面側と背面側の他方の側に設けられた第２係合部（６０）と、を有し、２つの包装容器の下面側を互いに対向させるとともに、包装容器の前後方向の向きを逆にして、互いに対向する第１係合部における一方の第１係合部の第１突状部が他方の第１係合部の第１穴部に嵌合するとともに、他方の第１係合部の第１突状部が一方の第１係合部の第１穴部に嵌合して、第１係合部同士が係合し、互いに対向する第２係合部における一方の第２係合部の第２突状部が他方の第２係合部の第２穴部に嵌合するとともに、他方の第２係合部の第２突状部が一方の第２係合部の第２穴部に嵌合して、第２係合部同士が係合することにより２つの包装容器が一体に組み立てられることを特徴とする。
【００１５】
第２の構成の包装容器においては、第１係合部と第２係合部により一対の包装容器を１つにユニット化することができ、右眼用のコンタクトレンズを収納するとともにレンズ収納部を封止した包装容器と左眼用のコンタクトレンズを収納するとともにレンズ収納部を封止した包装容器を１つにユニット化して携帯することができる。
【００１６】
また、包装容器においては、第１係合部と第２係合部のそれぞれにおいて、突状部が穴部に嵌合することにより第１係合部同士や第２係合部同士が係合するので、一対の包装容器を１つにユニット化した状態から各包装容器が互いにずれるおそれがない。
【００１７】
また、第１係合部は左右方向において右壁部の内側に設けられ、第２係合部は左右方向において左壁部の内側に設けられているので、一対の包装容器が第１係合部と第２係合部により一体化した状態でも、ユニット化するための部材（つまり、第１係合部と第２係合部）が外部と接触することにより容易にユニット化が解除されることがない。
【００１８】
なお、上記第２の構成を以下の構成としてもよい。すなわち、「コンタクトレンズを収納するための包装容器であって、上面視（平面視としてもよい）で略長方形状の外形を有するフランジ部（３０）と、フランジ部における長手方向における一方の側である正面側に偏って設けられ、下方に向けて凹状に形成されたレンズ収納部（２０）と、フランジ部の辺部から形成された壁部で、フランジ部の正面側の端部から下方に形成された正面壁部（４２）と、フランジ部の右側面側の端部から下方に向けて連設されるとともに、正面壁部と連設された右壁部（４４）と、フランジ部の左側面部側の端部から下方に向けて連設されるとともに、正面壁部と連設された左壁部（４６）とを有する壁部（４０）と、フランジ部の下面における右側面側の位置で左右方向において右壁部よりも内側の位置における包装容器の前後方向の中央位置に設けられた第１係合部で、フランジ部の下面から下方に突出して形成された第１係合部本体（５２）と、第１係合部本体の下面から下方に突出して形成された第１突状部（５４）と、第１係合部本体の下面に形成された第１穴部（５６）とを有し、第１突状部と第１穴部とは、前後方向の同一直線上に設けられるとともに、包装容器の前後方向の中央位置から等距離の位置に設けられ、第１突状部が正面側と背面側の一方である第１の側に設けられるとともに、第１穴部が正面側と背面側の他方である第２の側に設けられた第１係合部（５０）と、フランジ部の下面における左側面側の位置で左右方向において左壁部よりも内側の位置における包装容器の前後方向の中央位置に設けられた第２係合部で、フランジ部の下面から下方に突出して形成された第２係合部本体（６２）と、第２係合部本体の下面から下方に突出して形成された第２突状部（６４）と、第２係合部本体の下面に形成された第２穴部（６６）とを有し、第２突状部と第２穴部とは、前後方向の同一直線上に設けられるとともに、包装容器の前後方向の中央位置から等距離の位置に設けられ、第２突状部が第２の側に設けられるとともに、第１穴部が第１の側に設けられた第２係合部（６０）と、を有し、２つの包装容器の下面側を互いに対向させるとともに、包装容器の前後方向の向きを逆にして、互いに対向する第１係合部における一方の第１係合部の第１突状部が他方の第１係合部の第１穴部に嵌合するとともに、他方の第１係合部の第１突状部が一方の第１係合部の第１穴部に嵌合して、第１係合部同士が係合し、互いに対向する第２係合部における一方の第２係合部の第２突状部が他方の第２係合部の第２穴部に嵌合するとともに、他方の第２係合部の第２突状部が一方の第２係合部の第２穴部に嵌合して、第２係合部同士が係合することにより２つの包装容器が一体に組み立てられることを特徴とする包装容器。」としてもよい。
【００１９】
また、第３には、上記第２の構成において、フランジ部が、レンズ収納部から連設され略平板状のフランジ部本体と、フランジ部本体の背面側の端部から連設され、背面側に向けて下方に傾斜して形成された略平板状の傾斜部とを有し、右壁部が、傾斜部の傾斜角度に対応して背面側に向けて下方に傾斜した第１下辺（４４ａ）を有する第１領域（４４−１）と、第１領域の背面側の端部から連設された第２領域で、第１下辺の背面側の端部から連設された第２下辺でフランジ部本体の下面と平行な第２下辺（４４ｂ）を有する第２領域（４４−２）と、第２領域の背面側の端部から連設された第３領域で、第２下辺の背面側の端部から連設された第３下辺で背面側に向けて上方に傾斜した第３下辺（４４ｃ）を有する第３領域（４４−３）とを有し、右壁部の第３領域の背面側の端部が、包装容器の前後方向の中心位置よりも背面側に位置し、左壁部が、傾斜部の傾斜角度に対応して背面側に向けて下方に傾斜した第１下辺（４６ａ）を有する第１領域（４６−１）と、第１領域の背面側の端部から連設された第２領域で、第１下辺の背面側の端部から連設された第２下辺でフランジ部本体の下面と平行な第２下辺（４６ｂ）を有する第２領域（４６−２）と、第２領域の背面側の端部から連設された第３領域で、第２下辺の背面側の端部から連設された第３下辺で背面側に向けて上方に傾斜した第３下辺（４６ｃ）を有する第３領域（４６−３）とを有し、左壁部の第３領域の背面側の端部が、包装容器の前後方向の中心位置よりも背面側に位置し、右壁部と左壁部とが左右対称に形成され、２つの包装容器を第１係合部同士を係合するとともに第２係合部同士を係合して一体に組み立てた場合に、一方の包装容器における右壁部の第１下辺に沿って他方の包装容器における傾斜部の右側面側の端部（３６ａ）が位置し、一方の包装容器における右壁部の第２下辺に沿って他方の包装容器におけるフランジ部本体の右側面側の端部であって右壁部よりも背面側の端部（３２ａ）が位置し、一方の包装容器における右壁部の第３下辺に沿って他方の包装容器における右壁部の第３下辺が位置し、一方の包装容器におけるフランジ部本体の右側面側の端部であって右壁部よりも背面側の端部（３２ａ）に沿って他方の包装容器における右壁部の第２下辺が位置し、一方の包装容器における傾斜部の右側面側の端部（３６ａ）に沿って他方の包装容器における右壁部の第１下辺が位置し、一方の包装容器における左壁部の第１下辺に沿って他方の包装容器における傾斜部の左側面側の端部（３６ｂ）が位置し、一方の包装容器における左壁部の第２下辺に沿って他方の包装容器におけるフランジ部本体の左側面側の端部であって左壁部よりも背面側の端部（３２ｂ）が位置し、一方の包装容器における左壁部の第３下辺に沿って他方の包装容器における左壁部の第３下辺が位置し、一方の包装容器におけるフランジ部本体の左側面側の端部であって左壁部よりも背面側の端部（３２ｂ）に沿って他方の包装容器における左壁部の第２下辺が位置し、一方の包装容器における傾斜部の左側面側の端部（３６ｂ）に沿って他方の包装容器における左壁部の第１下辺が位置することを特徴とする。
【００２０】
よって、第１係合部と第２係合部とは、一対の壁部によりカバーされた状態となるので、ユニット化するための部材（つまり、第１係合部と第２係合部）が外部と接触することにより容易にユニット化が解除されることがない。また、右壁部の第３領域と左壁部の第３領域とは、包装容器の前後方向の中心位置よりも背面側に位置しているので、右側面視において、第１係合部の一部が右壁部に隠れるとともに、左側面視において、第２係合部の一部が左壁部に隠れた状態とすることができ、包装容器を単体として使用する場合に、一対の包装容器１０をユニット化するための部材（つまり、第１係合部や第２係合部）が邪魔となることがない。
【００２１】
また、第４には、上記第３の構成において、右壁部における第２領域のフランジ部本体の下面位置から第２下辺までの長さが、第１係合部の上端位置であるフランジ部本体の下面位置から第１突状部の先端までの長さよりも長く形成され、左壁部における第２領域のフランジ部本体の下面位置から第２下辺までの長さが、第２係合部の上端位置であるフランジ部本体の下面位置から第２突状部の先端までの長さよりも長く形成されていることを特徴とする。
【００２２】
よって、右側面視において、第１係合部のほとんどが右壁部に隠れるとともに、左側面視において、第２係合部のほとんどが左壁部に隠れるので、一対の包装容器をユニット化するための部材（つまり、第１係合部と第２係合部）が包装容器を単体として使用する場合に邪魔となることがない。
【００２３】
また、第５には、上記第３又は第４の構成において、傾斜部の背面側の端部は左右方向に直線状に形成され、正面壁部の下辺には切欠部（４２Ｋ）が形成され、２つの包装容器を第１係合部同士を係合するとともに第２係合部同士を係合して一体に組み立てた場合に、正面壁部の下辺と傾斜部の背面側の端部とにより囲まれた開口部（１０Ｋ）が形成されることを特徴とする。
【００２４】
よって、開口部に指を掛止することにより、１つにユニット化された包装容器を容易に分離することができる。
【００２５】
また、第６には、コンタクトレンズを収納するためのブリスターパックであって、
第１又は第２又は第３又は第４又は第５の構成のコンタクトレンズ用包装容器の複数が一列に配列された包装容器群（１０Ｇ）と、包装容器群における各包装容器のフランジ部の上面におけるレンズ収納部の外周部に貼り付けられたカバーシートで、隣接する包装容器の境界位置に切目線が形成されたカバーシート（８０）と、を有することを特徴とする。
【００２６】
第６の構成のブリスターパックにおいては、切目線を破断することにより１つの包装容器と該包装容器に接着された個別カバーシートからなる個別パックを分離して、右眼用のコンタクトレンズを収納した個別パックと左眼用のコンタクトレンズを収納した個別パックとを第１係合部と第２係合部により１つにユニット化することができ、右眼用のコンタクトレンズを収納した個別パックと左眼用のコンタクトレンズを収納した個別パックとをユニット化した状態で携帯することができる。
【００２７】
包装容器においては、第１係合部と第２係合部のそれぞれにおいて、突状部が穴部に嵌合することにより第１係合部同士や第２係合部同士が係合するので、一対の個別パックを１つにユニット化した状態から各包装容器が互いにずれるおそれがない。
【００２８】
また、第１係合部は左右方向において壁部（右壁部）の内側に設けられ、第２係合部は左右方向において壁部（左壁部）の内側に設けられているので、一対の個別パックが第１係合部と第２係合部により一体化した状態でも、ユニット化するための部材（つまり、第１係合部と第２係合部）が外部と接触することにより容易にユニット化が解除されることがない。
【００２９】
また、第７には、コンタクトレンズを収納するためのブリスターパックであって、第３又は第４又は第５の構成のコンタクトレンズ用包装容器の複数が一列に配列された包装容器群（１０Ｇ）と、包装容器群における各包装容器のフランジ部の上面におけるレンズ収納部の外周部に貼り付けられ、包装容器の背面方向には傾斜部の上方位置まで形成されたカバーシートで、隣接する包装容器の境界位置に切目線が形成されたカバーシート（８０）と、を有することを特徴とする。
【００３０】
第７の構成のブリスターパックにおいては、切目線を破断することにより１つの包装容器と該包装容器に接着された個別カバーシートからなる個別パックを分離して、右眼用のコンタクトレンズを収納した個別パックと左眼用のコンタクトレンズを収納した個別パックとを第１係合部と第２係合部により１つにユニット化することができ、右眼用のコンタクトレンズを収納した個別パックと左眼用のコンタクトレンズを収納した個別パックとをユニット化した状態で携帯することができる。
【００３１】
包装容器においては、第１係合部と第２係合部のそれぞれにおいて、突状部が穴部に嵌合することにより第１係合部同士や第２係合部同士が係合するので、一対の個別パックを１つにユニット化した状態から各包装容器が互いにずれるおそれがない。
【００３２】
また、第１係合部は左右方向において右壁部の内側に設けられ、第２係合部は左右方向において左壁部の内側に設けられているので、一対の個別パックが第１係合部と第２係合部により一体化した状態でも、ユニット化するための部材（つまり、第１係合部と第２係合部）が外部と接触することにより容易にユニット化が解除されることがない。
【００３３】
また、カバーシートと傾斜部との間に隙間が形成されるので、カバーシートの端部を把持してカバーシートを剥がしやすくすることができる。
【００３４】
また、第８には、上記第６又は第７の構成において、コンタクトレンズ用包装容器のフランジ部におけるレンズ収納部の外周部には上方に突出したリング状の突出部（３４）が設けられ、カバーシートは、該突出部に貼り付けられていることを特徴とする。
【発明の効果】
【００３５】
本発明に基づく包装容器及びブリスターパックによれば、第１係合部と第２係合部のそれぞれにおいて、突状部が穴部に嵌合することにより第１係合部同士や第２係合部同士が係合するので、一対の包装容器を１つにユニット化した状態から各包装容器が互いにずれるおそれがない。
【００３６】
また、第１係合部は左右方向において右壁部の内側に設けられ、第２係合部は左右方向において左壁部の内側に設けられているので、一対の包装容器が第１係合部と第２係合部により一体化した状態でも、ユニット化するための部材（つまり、第１係合部と第２係合部）が外部と接触することにより容易にユニット化が解除されることがない。
【００３７】
また、第１係合部と第２係合部により一対の包装容器を１つにユニット化することができ、右眼用のコンタクトレンズを収納するとともにレンズ収納部を封止した包装容器と左眼用のコンタクトレンズを収納するとともにレンズ収納部を封止した包装容器を１つにユニット化して携帯することができる。
【図面の簡単な説明】
【００３８】
【図１】包装容器の下方後方斜視図である。
【図２】包装容器の下方前方斜視図である。
【図３】包装容器の上方前方斜視図である。
【図４】包装容器の上方後方斜視図である。
【図５】包装容器の正面図である。
【図６】包装容器の背面図である。
【図７】包装容器の平面図である。
【図８】包装容器の底面図である。
【図９】包装容器の右側面図である。
【図１０】包装容器の左側面図である。
【図１１】図７のＡ−Ａ断面図である。
【図１２】図７のＢ−Ｂ断面図とその要部拡大図である。
【図１３】図７のＣ−Ｃ断面図である。
【図１４】図７のＤ−Ｄ断面図である。
【図１５】コンタクトレンズ入りブリスターパックの上方斜視図である。
【図１６】コンタクトレンズ入りブリスターパックの下方斜視図である。
【図１７】コンタクトレンズ入りブリスターパックの底面図である。
【図１８】コンタクトレンズ包装体の分解斜視図である。
【図１９】レンズ入り個別パックユニットの斜視図である。
【図２０】レンズ入り個別パックユニットの平面図である。
【図２１】レンズ入り個別パックユニットの正面図である。
【図２２】レンズ入り個別パックユニットの背面図である。
【図２３】レンズ入り個別パックユニットの右側面図である。
【図２４】レンズ入り個別パックユニットの左側面図である。
【図２５】図２３及び図２７のＥ−Ｅ断面図である。
【図２６】図２３及び図２７のＦ−Ｆ断面図である。
【図２７】図２１のＧ−Ｇ断面図である。
【発明を実施するための形態】
【００３９】
本発明においては、一対の包装容器を１つにユニット化した状態から互いにずれるおそれがなく、また、ユニット化された状態において、ユニット化するための部材が外部と接触することにより容易にユニット化が解除されることがないコンタクトレンズ包装容器を提供するという目的を以下のようにして実現した。
【００４０】
本発明に基づくコンタクトレンズ用包装容器１０（以下単に「包装容器１０」とする）は、図１〜図１４に示すように形成され、凹状を呈するレンズ収納部２０と、レンズ収納部２０の上端の外周から外側に向けて連設された略板状のフランジ部３０と、フランジ部３０の正面側（Ｙ１側）の端部と右側面側（Ｘ１側）の端部と左側面側（Ｘ２側）の端部から連設された壁部４０と、フランジ部３０の下面（底面としてもよい）における右側面側の領域から下方に突出して形成された係合部５０と、フランジ部３０の下面における左側面側の領域から下方に突出して形成された係合部６０とを有している。包装容器１０は、合成樹脂（具体的には、ポリプロピレン）により全体に一体に形成されている。
【００４１】
図１５に示すように、複数の包装容器１０の上面にカバーシート８０を接着することによりブリスターパック１１０が形成される。
【００４２】
ここで、レンズ収納部２０は凹状を呈し、レンズ収納部２０においては、外側の面と内側の面とが球面の一部を呈し、その厚みは略均一に形成されている。レンズ収納部２０は、フランジ部３０において長手方向（Ｙ１−Ｙ２方向）における一方の側である正面側（Ｙ１側）に偏った位置に設けられている。つまり、一対の包装容器１０の下面側（Ｚ１側）を対向させるとともに、一方の包装容器を他方の包装容器に対して１８０度回転した状態で互いに係合させるために、レンズ収納部２０は、フランジ部３０において正面側に偏った位置に設けられている。
【００４３】
また、フランジ部３０は、略板状を呈するとともに上面視（平面視としてもよい。他においても同じ）で略長方形状の外形を有し、フランジ部３０は、平板状で略方形状の外形を有するフランジ部本体３２と、フランジ部本体３２の上面から上方に突出したリング状の突出部３４と、フランジ部本体３２の背面側（Ｙ２側）の端部から連設された傾斜部３６と、を有している。フランジ部３０は、レンズ収納部２０の上端の外周から外側に張り出して形成されている。
【００４４】
フランジ部本体３２は、レンズ収納部２０の上端の外周から連設され、平板状（略平板状としてもよい）を呈し、上面視においては、図７に示すように、正面側の両側の角部にアールが形成された長方形状を有している。フランジ部本体３２自体の形状としては、略長方形状の平板状に円形の開口部を有する形状であるといえる。フランジ部本体３２の上面と下面は平面状となっている。
【００４５】
また、突出部３４は、リング状の帯状を呈し、その内周面３４ａの下端は、レンズ収納部２０の内側の面の上端と接している。突出部３４の上面は平面状であり、フランジ部本体３２の上面と平行に形成されている。突出部３４の内周面３４ａと外周面３４ｂとは、突出部３４の上面に対して直角をなし、突出部３４の上面の外周と内周は、円形を呈している。
【００４６】
レンズ収納部２０とフランジ部３０の境界は、突出部３４の内周面３４ａの下端の位置Ｐとレンズ収納部２０の外周面とフランジ部３０の下面の境界位置Ｑとを結んだ線状に位置するといえる。
【００４７】
また、傾斜部３６は、左右方向に横長の略長方形状の平板状（略平板状としてもよい）を呈し、長方形状の板状において背面側の両側の角部にアールを形成した形状を呈している。傾斜部３６の上面と下面は平面状となっている。この傾斜部３６は、背面側に向けて下方に傾斜して（つまり、背面側にいくほど下方となるように傾斜して）形成されている。つまり、フランジ部本体３２と傾斜部３６とは、平板状の部材をフランジ部本体３２と傾斜部３６の境界位置で屈曲した形状を呈している。この傾斜部３６が設けられていることにより、ブリスターパック１１０をカバーシート８０に設けられたミシン目状の切目線８２を破断することにより得られた個別パック（シート付き包装容器としてもよい）１２０（個別パック１２０は、包装容器１０と該包装容器１０に接着された個別カバーシート９０とから構成される）において、個別カバーシート９０と傾斜部３６との間に隙間が形成されるので、個別カバーシート９０の端部を把持して個別カバーシート９０を剥がしやすくなっている。
【００４８】
また、壁部４０は、フランジ部３０の正面側の端部から下方に向けて連設された正面壁部４２と、フランジ部３０の右側面側の端部から下方に向けて連設された右壁部４４と、フランジ部３０の左側面側の端部から下方に向けて連設された左壁部４６とを有している。壁部４０は、フランジ部３０の右側面側から正面側を経て左側面側にまで形成されている。
【００４９】
ここで、正面壁部４２は、フランジ部３０の下面に対して直角に形成された板状を呈し、その下辺は、図５に示すように、両側の端部から内側に向けてなだらかに上方に向かい内側の端部では略水平となる辺部４２ａ、４２ｂと、辺部４２ａの内側の端部と辺部４２ｂの内側の端部間に設けられ、辺部４２ａや辺部４２ｂよりも上側に形成された略円弧状の辺部４２ｃとにより形成され、これにより、正面壁部４２は、左右方向における中央領域において上方に窪んだ形状を呈している。つまり、正面壁部４２は、上方に向けて窪んだ切欠部４２Ｋを有している。なお、正面壁部４２は、左右対称の形状に形成されている。
【００５０】
また、右壁部４４は、フランジ部３０の下面に対して直角に形成された板状を呈し、その下辺（下端としてもよい）は、右壁部４４の右側面視において、正面壁部４２の下辺の右側面側の端部から連設され、背面側に向けて下方に傾斜した辺部（下辺としてもよい）４４ａと、辺部４４ａの背面側の端部から連設され、フランジ部３０の下面と平行な辺部（下辺としてもよい）４４ｂと、辺部４４ｂの背面側の端部から連設され、背面側に向けて上方に傾斜した辺部（下辺としてもよい）４４ｃとを有している。つまり、右壁部４４は、傾斜部３６の傾斜角度に対応して背面側に向けて下方に傾斜した辺部４４ａを有する領域（第１領域）４４−１と、領域４４−１の背面側の端部から連設された領域で、辺部４４ａの背面側の端部から連設された辺部でフランジ部本体３２の下面と平行な辺部（第２下辺）４４ｂを有する領域（第２領域）４４−２と、領域４４−２の背面側の端部から連設された領域で、辺部４４ｂの背面側の端部から連設された辺部で背面側に向けて上方に傾斜した辺部（第３下辺）４４ｃを有する領域（第３領域）４４−３とを有している。辺部４４ａは第１下辺に当たり、辺部４４ｂは第２下辺に当たり、辺部４４ｃは第３下辺に当たる。
【００５１】
また、図９において、右壁部４４の前後方向の長さＬ１は、包装容器１０の前後方向の長さＬ０の半分よりも長く形成され、右壁部４４における辺部４４ａに対応した領域４４−１の前後方向の長さＬ１１は、傾斜部３６における前後方向の長さＬ２１と同一（略同一としてもよい）であり、右壁部４４における辺部４４ｂに対応した領域４４−２の前後方向の長さＬ１２は、フランジ部本体３２における右壁部４４の端部位置から背面側の端部までの長さＬ２２と同一（略同一としてもよい）であり、これにより、右壁部４４における領域４４−１と領域４４−２からなる領域の長さＬ１３は、フランジ部本体３２における右壁部４４の端部位置から傾斜部３６の背面側の端部までの長さＬ２３と同一（略同一としてもよい）となっている。これにより、右壁部４４における辺部４４ｃに対応した領域４４−３は、包装容器１０の前後方向における中央位置に設けられている。また、領域４４−３の背面側の端部（つまり、右壁部４４の背面側の端部）は、包装容器の前後方向の中心位置よりも背面側に位置している。これにより、右側面視において、係合部５０の一部は、右壁部４４により隠れた状態となる。
【００５２】
また、辺部４４ａの方向の辺部４４ｂの方向に対する角度α１は、傾斜部３６の下面がフランジ部本体３２の下面に対する角度α２と同一（略同一としてもよい）となっている。
【００５３】
右壁部４４が以上のように構成されていることにより、一対の包装容器１０を係合させた状態では、図２３に示すように、一方の包装容器１０の右側面側の部分（右壁部４４と、フランジ部本体３２の右側面側の端部３２ａ（右壁部４４が形成されている領域を除く右側面側の端部）と、傾斜部３６の右側面側の端部３６ａ）と、他方の包装容器１０の右側面側の部分（右壁部４４と、フランジ部本体３２の右側面側の端部３２ａ（右壁部４４が形成されている領域を除く右側面側の端部）と、傾斜部３６の右側面側の端部３６ａ）の間に隙間がないようにすることができる。
【００５４】
つまり、一方の包装容器１０の辺部４４ａに沿って他方の包装容器１０の傾斜部３６の右側面側の端部３６ａが設けられて辺部４４ａと端部３６ａとが隙間がなく接し、一方の包装容器１０の辺部４４ｂに沿って他方の包装容器１０のフランジ部本体３２の右側面側の端部３２ａが設けられて辺部４４ｂと端部３２ａとが隙間がなく接し、一方の包装容器１０の辺部４４ｃに沿って他方の包装容器１０の辺部４４ｃが設けられて２つの辺部４４ｃが隙間がなく接し、一方の包装容器１０のフランジ部本体３２の右側面側の端部３２ａに沿って他方の包装容器１０の辺部４４ｂが設けられて端部３２ａと辺部４４ｂとが隙間がなく接し、一方の包装容器１０の傾斜部３６の右側面側の端部３６ａに沿って他方の包装容器１０の辺部４４ａが設けられて端部３６ａと辺部４４ａとが隙間なく接している。
【００５５】
また、左壁部４６は、フランジ部３０の下面に対して直角に形成された板状を呈し、右壁部４４と左右対称に形成されている。左壁部４６は、右壁部４４と平行に形成されている。すなわち、左壁部４６の下辺（下端としてもよい）は、左壁部４６の左側面視において、正面壁部４２の下辺の左側面側の端部から連設され、背面側に向けて下方に傾斜した辺部（下辺としてもよい）４６ａと、辺部４６ａの背面側の端部から連設され、フランジ部３０の下面と平行な辺部（下辺としてもよい）４６ｂと、辺部４６ｂの背面側の端部から連設され、背面側に向けて上方に傾斜した辺部（下辺としてもよい）４６ｃとを有し、辺部４６ａは辺部４４ａと左右対称に形成され、辺部４６ｂは辺部４４ｂと左右対称に形成され、辺部４６ｃは辺部４４ｃと左右対称に形成されている。つまり、左壁部４６は、傾斜部３６の傾斜角度に対応して背面側に向けて下方に傾斜した辺部４６ａを有する領域（第１領域）４６−１と、領域４６−１の背面側の端部から連設された領域で、辺部４４ｂの背面側の端部から連設された辺部でフランジ部本体３２の下面と平行な辺部（第２下辺）４６ｂを有する領域（第２領域）４６−２と、領域４６−２の背面側の端部から連設された領域で、辺部４６ｂの背面側の端部から連設された辺部で背面側に向けて上方に傾斜した辺部（第３下辺）４６ｃを有する領域（第３領域）４６−３とを有している。辺部４６ａは第１下辺に当たり、辺部４６ｂは第２下辺に当たり、辺部４６ｃは第３下辺に当たる。
【００５６】
また、図１０において、左壁部４６の前後方向の長さＬ１’は、包装容器１０の前後方向の長さＬ０の半分よりも長く形成され、左壁部４６における辺部４６ａに対応した領域４６−１の前後方向の長さＬ１１’は、傾斜部３６における前後方向の長さＬ２１と同一（略同一としてもよい）であり、左壁部４６における辺部４６ｂに対応した領域４６−２の前後方向の長さＬ１２’は、フランジ部本体３２における左壁部４６の端部位置から背面側の端部までの長さＬ２２’と同一（略同一としてもよい）であり、これにより、左壁部４６における領域４６−１と領域４６−２からなる領域の長さＬ１３’は、フランジ部本体３２における左壁部４６の端部位置から傾斜部３６の背面側の端部までの長さＬ２３’と同一（略同一としてもよい）となっている。これにより、左壁部４６における辺部４６ｃに対応した領域４６−３は、包装容器１０の前後方向における中央位置に設けられている。また、領域４６−３の背面側の端部（つまり、左壁部４６の背面側の端部）は、包装容器の前後方向の中心位置よりも背面側に位置している。これにより、左側面視において、係合部６０の一部は、左壁部４６により隠れた状態となる。なお、左壁部４６は右壁部４４と左右対称であるので、Ｌ１１’＝Ｌ１１であり、Ｌ１２’＝Ｌ１２であり、Ｌ２２’＝Ｌ２２であり、Ｌ１３’＝Ｌ１３であり、Ｌ２３’＝Ｌ２３であり、Ｌ１’＝Ｌ１となっている。
【００５７】
また、辺部４６ａの方向の辺部４６ｂの方向に対する角度α１’は、傾斜部３６の下面がフランジ部本体３２の下面に対する角度α２と同一（略同一としてもよい）となっている。なお、左壁部４６は右壁部４４と左右対称であるので、α１’＝α１となっている。
【００５８】
左壁部４６が以上のように構成されていることにより、一対の包装容器１０を係合させた状態では、図２４に示すように、一方の包装容器１０の左側面側の部分（左壁部４６と、フランジ部本体３２の左側面側の端部３２ｂ（左壁部４６が形成されている領域を除く左側面側の端部）と、傾斜部３６の左側面側の端部３６ｂ）と、他方の包装容器１０の左側面側の部分（左壁部４６と、フランジ部本体３２の左側面側の端部３２ｂ（左壁部４６が形成されている領域を除く左側面側の端部）と、傾斜部３６の左側面側の端部３６ｂ）の間に隙間がないようにすることができる。
【００５９】
つまり、一方の包装容器１０の辺部４６ａに沿って他方の包装容器１０の傾斜部３６の左側面側の端部３６ｂが設けられて辺部４６ａと端部３６ｂとが隙間がなく接し、一方の包装容器１０の辺部４６ｂに沿って他方の包装容器１０のフランジ部本体３２の左側面側の端部３２ｂが設けられて辺部４６ｂと端部３２ｂとが隙間がなく接し、一方の包装容器１０の辺部４６ｃに沿って他方の包装容器１０の辺部４６ｃが設けられて２つの辺部４６ｃが隙間がなく接し、一方の包装容器１０のフランジ部本体３２の左側面側の端部３２ｂに沿って他方の包装容器１０の辺部４６ｂが設けられて端部３２ｂと辺部４６ｂとが隙間がなく接し、一方の包装容器１０の傾斜部３６の左側面側の端部３６ｂに沿って他方の包装容器１０の辺部４６ａが設けられて端部３６ｂと辺部４６ａとが隙間なく接している。
【００６０】
また、係合部（第１係合部）５０は、フランジ部３０の下面の右側面側の領域に設けられ、係合部５０は、フランジ部３０の下面から下方に突出した係合部本体５２と、係合部本体５２の下面から下方に突出した突状部５４と、係合部本体５２の下面から上方に向けて形成された穴部５６とを有している。突状部５４は、穴部５６よりも背面側に設けられている。係合部５０は、フランジ部３０の下面における右側面側の位置で左右方向において右壁部４４（右側面側の壁部としてもよい）よりも内側の位置における包装容器の前後方向の中央位置（略中央位置としてもよい）に設けられている。
【００６１】
ここで、係合部本体（第１係合部本体）５２は、柱状を呈し、その横断面形状の外形は、互いに平行な一対の直線と、一対の直線の正面側の端部から連設された半円と、一対の直線の背面側の端部から連設された半円とにより形成された形状、すなわち、トラック状の形状を呈している。係合部本体５２の下面は平面状であり、フランジ部本体３２の下面と平行に形成されている。
【００６２】
この係合部本体５２の形成位置は、前後方向には、包装容器１０の前後方向における中央（略中央としてもよい）の位置（フランジ部３０の前後方向における中央（略中央としてもよい）の位置としてもよい）であり、係合部本体５２の正面側の端部と包装容器１０の正面側の端部（すなわち、正面壁部４２の正面側の面（フランジ部３０の正面側の端部としてもよい））の間の前後方向の長さＬ３１と、係合部本体５２の背面側の端部と包装容器１０の背面側の端部（すなわち、傾斜部３６の背面側の端部（すなわち、フランジ部３０の背面側の端部））の間の前後方向の長さＬ３２とは同一（略同一としてもよい）に形成されている。また、係合部本体５２は、左右方向には、右壁部４４よりも内側の位置で、右壁部４４に近接した位置に設けられ、係合部本体５２（及び係合部本体５２を含む係合部５０）は、右壁部４４やレンズ収納部２０と間隔を介して設けられている。なお、係合部本体５２の形成位置は、前後方向には、包装容器１０の前後方向における略中央の位置（フランジ部３０の前後方向における略中央の位置としてもよい）としてもよい。
【００６３】
また、係合部本体５２の背面側の端部は、右側面視において、係合部５０が右壁部４４によりカバーされる領域を広くするために（つまり、係合部５０がなるべく右壁部４４により隠れるために）、右壁部４４の背面側の端部よりも正面側に位置し、係合部本体５２の前後方向の長さＬ３０は、右壁部４４の領域４４−３の前後方向の長さＬ２４よりも短く形成されている。これにより、右側面視において、係合部５０は、右壁部４４にほとんど隠れて構成されている。
【００６４】
また、突状部（第１突状部）５４は、凸状を呈し、具体的には、略円柱状を呈している。より具体的には、突状部５４は、係合部本体５２の下面から下方に突出した円柱状部５４ａと、円柱状部５４ａの先端（すなわち、下端）から連設された半球状部５４ｂとを有する形状であり、円柱状部５４ａの径（直径）と半球状部５４ｂの径（直径）とは同一となっていて、円柱状部５４ａの周面と半球状部５４ｂの表面とは連続して形成されている。突状部５４の軸線方向は、フランジ部本体３２の下面に対して鉛直方向となっている。
【００６５】
また、穴部（第１穴部）５６は、円柱状（略円柱状としてもよい）を呈し、その軸線方向は、フランジ部本体３２の下面に対して鉛直方向となっている。穴部５６の径（直径）は、突状部５４が嵌合可能な大きさに形成され、突状部５４の径（直径）と同一（略同一としてもよい）に形成されている。また、穴部５６の軸線方向の長さは、突状部５４の全てが穴部５６に収納される長さに形成され、突状部５４の軸線方向の長さ以上の長さに形成されている。これにより、２つの係合部５０同士が係合した場合には、係合部本体５２の下面同士が接するようになっている。
【００６６】
また、突状部５４と穴部５６とは、左右方向には同一の位置に設けられ（つまり、下面視（底面視としてもよい。他においても同じ）における突状部５４の中心と穴部５６の中心は左右方向に同一の位置に設けられている）、下面視における突状部５４の中心と穴部５６の中心とは前後方向の同一直線上に形成されている。突状部５４は、穴部５６よりも背面側に設けられている。つまり、突状部５４が、正面側と背面側の一方である第１の側（つまり、背面側）に設けられるとともに、穴部５６が正面側と背面側の他方である第２の側（つまり、正面側）に設けられている。また、突状部５４と穴部５６とは、包装容器１０の前後方向の中心位置から前後方向に等距離の位置に設けられ、突状部５４（厳密には、突状部５４の中心軸）と包装容器１０の前後方向の中心位置との間の長さＬ３４と、穴部５６（厳密には、穴部５６の中心軸）と包装容器１０の前後方向の中心位置との間の長さＬ３３とは同一となっている。なお、図８において、長さＬ３５と長さＬ３６とは同一である。
【００６７】
また、係合部本体５２の高さ方向（Ｚ１−Ｚ２方向）の長さ（つまり、フランジ部本体３２の下面と係合部本体５２の間の高さ方向の長さ）Ｌ３７は、右壁部４４の高さ方向の長さ（フランジ部本体３２の下面と右壁部４４の下端の間の高さ方向の長さ（最大長さ））Ｌ３９よりも短く形成され（具体的には、長さＬ３７は、長さＬ３９の１／２（略１／２としてもよい）となっている）、また、係合部５０の高さ方向の長さ（つまり、フランジ部本体３２の下面と突状部５４の先端の間の高さ方向の長さ）Ｌ３８は、右壁部４４の高さ方向の長さＬ３９よりも短く形成され（つまり、右壁部４４における領域４４−２のフランジ部本体３２の下面位置から辺部４４ｂまでの長さが、係合部５０の上端位置であるフランジ部本体３２の下面位置から突状部５４の先端までの長さよりも長く形成されている）、また、包装容器１０の右側面視において、図９に示すように、係合部５０のほとんどが右壁部４４に隠れている。ここで、長さＬ３９は、右壁部４４の領域４４−２における高さ方向の長さである。
【００６８】
係合部５０は上記のように構成されているので、２つの係合部５０の前後方向の向きを逆にして、下面側を互いに対向させることにより、一方の係合部５０の突状部５４が他方の係合部５０の穴部５６に嵌合するとともに、他方の係合部５０の突状部５４が一方の係合部５０の穴部５６に嵌合して、係合部５０同士を係合させることができる。
【００６９】
また、係合部（第２係合部）６０は、フランジ部３０の下面の左側面側の領域に設けられ、係合部５０と点対称に形成されている。すなわち、係合部６０は、フランジ部３０の下面から下方に突出した係合部本体６２と、係合部本体６２の下面から下方に突出した突状部６４と、係合部本体６２の下面から上方に向けて形成された穴部６６とを有している。突状部６４は、穴部６６よりも正面側に設けられている。係合部６０は、フランジ部３０の下面における左側面側の位置で左右方向において左壁部４６（左側面側の壁部としてもよい）よりも内側の位置における包装容器の前後方向の略中央位置に設けられている。
【００７０】
ここで、係合部本体（第２係合部本体）６２は、柱状を呈し、その横断面形状の外形は、互いに平行な一対の直線と、一対の直線の正面側の端部から連設された半円と、一対の直線の背面側の端部から連設された半円とにより形成された形状、すなわち、トラック状の形状を呈している。係合部本体６２の下面は平面状であり、フランジ部本体３２の下面と平行に形成されている。
【００７１】
この係合部本体６２の形成位置は、前後方向には、包装容器１０の前後方向の領域における中央の位置（フランジ部３０の前後方向における中央の位置としてもよい）であり、係合部本体６２の正面側の端部と包装容器１０の正面側の端部（すなわち、正面壁部４２の正面側の面（フランジ部３０の正面側の端部としてもよい））の間の前後方向の長さＬ４１と、係合部本体６２の背面側の端部と包装容器１０の背面側の端部（すなわち、傾斜部３６の背面側の端部（すなわち、フランジ部３０の背面側の端部））の間の前後方向の長さＬ４２とは同一（略同一としてもよい）に形成されている。また、係合部本体６２は、左右方向には、左壁部４６よりも内側の位置で、左壁部４６に近接した位置に設けられ、係合部本体６２（及び係合部本体６２を含む係合部６０）は、左壁部４６やレンズ収納部２０と間隔を介して設けられている。なお、係合部本体６２の形成位置は、前後方向には、包装容器１０の前後方向における略中央の位置（フランジ部３０の前後方向における略中央の位置としてもよい）としてもよい。
【００７２】
また、係合部本体６２の背面側の端部は、左側面視において、係合部６０が左壁部４６によりカバーされる領域を広くするために（つまり、係合部６０がなるべく左壁部４６により隠れるために）、左壁部４６の背面側の端部よりも正面側に位置し、係合部本体６２の前後方向の長さＬ４０は、左壁部４６の領域４６−３の前後方向の長さＬ２４’よりも短く形成されている。これにより、左側面視において、係合部６０は、左壁部４６にほとんど隠れて構成されている。
【００７３】
また、突状部（第２突状部）６４は、凸状を呈し、具体的には、略円柱状を呈している。より具体的には、突状部６４は、係合部本体６２の下面から下方に突出した円柱状部６４ａと、円柱状部６４ａの先端（すなわち、下端）から連設された半球状部６４ｂとを有する形状であり、円柱状部６４ａの径（直径）と半球状部６４ｂの径（直径）とは同一となっていて、円柱状部６４ａの周面と半球状部６４ｂの表面とは連続して形成されている。突状部６４の軸線方向は、フランジ部本体３２の下面に対して鉛直方向となっている。
【００７４】
また、穴部（第２穴部）６６は、円柱状（略円柱状としてもよい）を呈し、その軸線方向は、フランジ部本体３２の下面に対して鉛直方向となっている。穴部６６の径（直径）は、突状部６４が嵌合可能な大きさに形成され、突状部６４の径（直径）と同一（略同一としてもよい）に形成されている。また、穴部６６の軸線方向の長さは、突状部６４の全てが穴部６６に収納される長さに形成され、突状部６４の軸線方向の長さ以上の長さに形成されている。これにより、２つの係合部６０同士が係合した場合には、係合部本体６２の下面同士が接するようになっている。
【００７５】
また、突状部６４と穴部６６とは、左右方向には同一の位置に設けられ（つまり、下面視における突状部６４の中心と穴部６６の中心は左右方向に同一の位置に設けられている）、下面視における突状部６４の中心と穴部６６の中心とは前後方向の同一直線上に形成されている。突状部６４は、穴部６６よりも正面側に設けられている。つまり、突状部６４が、第２の側（つまり、正面側）に設けられるとともに、穴部５６が第１の側（つまり、背面側）に設けられている。また、突状部６４と穴部６６とは、包装容器１０の前後方向の中心位置から前後方向に等距離の位置に設けられ、突状部６４（厳密には、突状部６４の中心軸）と包装容器１０の前後方向の中心位置との間の長さＬ４４と、穴部６６（厳密には、穴部６６の中心軸）と包装容器１０の前後方向の中心位置との間の長さＬ４３とは同一となっている。なお、図８において、長さＬ４５と長さＬ４６とは同一である。
【００７６】
また、長さＬ４３と長さＬ４４と長さＬ３３と長さＬ３４とは互いに同一となっていて、下面視において、突状部６４が突状部５４と点対称の位置に設けられ、穴部６６が穴部５６と点対称の位置に設けられている。また、突状部５４が穴部５６よりも正面側と背面側の一方の側（背面側）に設けられ、突状部６４が穴部６６よりも正面側と背面側の他方の側（正面側）に設けられている。
【００７７】
また、係合部５０の場合と同様に、係合部本体６２の高さ方向の長さ（つまり、フランジ部本体３２の下面と係合部本体６２の間の高さ方向の長さ）は、左壁部４６の高さ方向の長さ（フランジ部本体３２の下面と左壁部４６の下端の間の高さ方向の長さ（最大長さ））よりも短く形成され（具体的には、係合部本体６２の高さ方向の長さは、左壁部４６の高さ方向の長さ（最大長さ）の１／２（略１／２としてもよい）となっている）、また、係合部６０の高さ方向の長さ（つまり、フランジ部本体３２の下面と突状部６４の先端の間の高さ方向の長さ）は、左壁部４６の高さ方向の長さよりも短く形成され（つまり、左壁部４６における領域４６−２のフランジ部本体３２の下面位置から辺部４６ｂまでの長さが、係合部６０の上端位置であるフランジ部本体３２の下面位置から突状部６４の先端までの長さよりも長く形成されている）、また、包装容器１０の左側面視において、図１０に示すように、係合部６０のほとんどが左壁部４６に隠れている。
【００７８】
係合部６０は上記のように構成されているので、２つの係合部６０の前後方向の向きを逆にして、下面側を互いに対向させることにより、一方の係合部６０の突状部６４が他方の係合部６０の穴部６６に嵌合するとともに、他方の係合部６０の突状部６４が一方の係合部６０の穴部６６に嵌合して、係合部６０同士を係合させることができる。
【００７９】
次に、ブリスターパック１１０は、図１５〜図１７に示すように、複数（図１５の例では、５個）の包装容器１０と、複数の包装容器１０の上面に接着されたカバーシート８０とにより構成される。
【００８０】
複数の包装容器１０は、一列に配置され、各包装容器１０は、同じ向きに設けられている（例えば、各包装容器１０の正面側は同じ向きに設けられている）、互いに隣接する包装容器１０は間隔を介して設けられ、互いに隣接する包装容器１０においては、右壁部４４と左壁部４６とが対向している。なお、ブリスターパック１１０において、包装容器１０の正面側となる側をブリスターパック１１０の正面側とし、包装容器１０の背面側となる側をブリスターパック１１０の背面側とする。ブリスターパック１１０を構成する複数の包装容器１０が包装容器群１０Ｇを構成する。
【００８１】
また、カバーシート８０は、帯状を呈し、カバーシート８０の短手方向に切目線８２が形成され、カバーシート８０の短手辺と切目線８２とにより、複数の個別カバーシート９０に区画されている。つまり、カバーシート８０は略長方形状に形成され、長方形状において、４つの角部にはアールを形成し、切目線８２の形成位置に、切込みＫを形成した形状を呈し、これにより、各個別カバーシート９０における４つの角部には、アールが形成されている。個別カバーシート９０の大きさは、上面視及び下面視における包装容器１０の大きさよりも若干大きく形成され、図１７に示すように、個別カバーシート９０の辺部は、下面視において、包装容器１０の外周に沿って包装容器１０の外周よりも外側に形成されている。１つの個別カバーシート９０は、１つの包装容器１０に対応し、フランジ部３０の突出部３４の上面に個別カバーシート９０の下面が接着されている。これにより、切目線８２は、互いに隣接する包装容器１０の間の位置に設けられ、包装容器１０の右壁部４４や左壁部４６と平行に設けられている。
【００８２】
カバーシート８０は、シート状部材により形成され、具体的には、シート状のアルミニウムの内側にシート状のポリプロピレンが積層され、さらに、包装容器１０との接着領域には、リング状にポリエチレンがコーティングされていて、ポリエチレンにより熱溶着することにより包装容器１０に貼り付けられる。
【００８３】
なお、実際には、包装容器１０のレンズ収納部２０に溶液１５０とコンタクトレンズ１６０とを収納した状態で、個別カバーシート９０が包装容器１０の上面に接着されることにより、コンタクトレンズ入りブリスターパックＣ１１０が構成される。
【００８４】
上記コンタクトレンズ入りブリスターパック（以下「レンズ入りパック」とする）Ｃ１１０、すなわち、ブリスターパック１１０と溶液１５０（図２７参照）とコンタクトレンズ１６０（図２７参照）とを有するレンズ入りパックＣ１１０の使用状態について説明する。
【００８５】
レンズ入りパックＣ１１０は、図１８に示すように、包装箱２００に収納して使用する。その際、一対のレンズ入りパックＣ１１０を包装箱２００に収納し、一対のレンズ入りパックＣ１１０においては、各レンズ入りパックＣ１１０の下面側（カバーシート８０とは反対側）を互いに対向させるとともに、レンズ入りパックＣ１１０の前後方向の向きを逆にして、一方のレンズ入りパックＣ１１０の正面側と他方のレンズ入りパックＣ１１０の背面側とが対向するようにする。つまり、図１８において、レンズ入りパックＣ１１０Ａとレンズ入りパックＣ１１０Ｂとは、下面側同士が対向するとともに、前後方向の向きが逆向きとなっている。なお、一対のレンズ入りパックＣ１１０Ａ、Ｃ１１０Ｂとレンズ入りパックＣ１１０Ａ、Ｃ１１０Ｂを収納する包装箱２００とにより、コンタクトレンズ包装体３００が構成される。
【００８６】
このように、レンズ入りパックＣ１１０Ａとレンズ入りパックＣ１１０Ｂの下面側同士を対向させるとともに、前後方向の向きを逆向きとすることにより、レンズ入りパックＣ１１０Ａの包装容器１０とレンズ入りパックＣ１１０Ｂの包装容器１０において互いに対向する包装容器１０においては、係合部５０同士を係合させるとともに、係合部６０同士を係合させることができるので、互いに対向する包装容器１０において、係合部５０同士を係合させるとともに、係合部６０同士を係合させることによりレンズ入りパックＣ１１０Ａとレンズ入りパックＣ１１０Ｂを一体に組み立てることができる。
【００８７】
以上のようにして、レンズ入りパックＣ１１０Ａとレンズ入りパックＣ１１０Ｂを一体にすることができるので、包装箱２００からレンズ入りパックを取り出す際に、一対のレンズ入りパックのうち一方のレンズ入りパックのみを持ってしまって、他方のレンズ入りパックを落としてしまうという不都合がない。
【００８８】
なお、１つの包装箱２００に収納されるレンズ入りパックＣ１１０Ａ、Ｃ１１０Ｂに収納されたコンタクトレンズは同じものであり、例えば、レンズ入りパックＣ１１０Ａ、Ｃ１１０Ｂに収納されるコンタクトレンズの度数は全て同一となっている。よって、左右の眼において、異なるコンタクトレンズを装着する場合には、右眼用のコンタクトレンズが収納されたコンタクトレンズ包装体３００と、左眼用のコンタクトレンズが収納されたコンタクトレンズ包装体３００とが必要となる。
【００８９】
次に、コンタクトレンズ包装体３００からコンタクトレンズが収納された個別パック１２０を取り出して、右眼用の個別パックと左眼用の個別パックとを携帯する場合について説明する。なお、個別パック１２０と溶液１５０とコンタクトレンズ１６０とによりレンズ入り個別パックＣ１２０が構成される。溶液１５０とコンタクトレンズ１６０とは、包装容器１０のレンズ収納部２０に収納される。
【００９０】
なお、右眼用のコンタクトレンズ包装体３００のレンズ入りパックＣ１１０においては、各包装容器１０のレンズ収納部２０に溶液１５０と右眼用のコンタクトレンズ１６０とを収納した状態で、カバーシート８０が包装容器１０の上面に接着されており、同様に、左眼用のコンタクトレンズ包装体３００のレンズ入りパックＣ１１０においては、各包装容器１０のレンズ収納部２０に溶液１５０と左眼用のコンタクトレンズ１６０とを収納した状態で、カバーシート８０が包装容器１０の上面に接着されているものとする。
【００９１】
まず、右眼用のコンタクトレンズ包装体３００からレンズ入り個別パックＣ１２０を取り出すとともに、左眼用のコンタクトレンズ包装体３００からレンズ入り個別パックＣ１２０を取り出す。つまり、右眼用のコンタクトレンズ包装体３００と左眼用のコンタクトレンズ包装体３００のそれぞれにおいて、レンズ入りパックＣ１１０における切目線８２を破断するとともに、係合部５０、６０を介して他のレンズ入り個別パックＣ１２０と係合している場合には、係合部５０と係合部６０の係合を解除させて、１つのレンズ入り個別パックＣ１２０を取り出す。
【００９２】
次に、右眼用のレンズ入り個別パックＣ１２０と左眼用のレンズ入り個別パックＣ１２０の下面側（つまり、個別カバーシート９０と反対側）同士を対向させるとともに、前後方向の向きを逆向きとして、係合部５０同士を係合させるとともに、係合部６０同士を係合させることにより、右眼用のレンズ入り個別パックＣ１２０と左眼用のレンズ入り個別パックＣ１２０を一体に組み立てることができ、右眼用のレンズ入り個別パックＣ１２０と左眼用のレンズ入り個別パックＣ１２０とを一体化させて構成したレンズ入り個別パックユニットＵが構成される。つまり、一方の係合部５０の突状部５４を他方の係合部５０の穴部５６に嵌合させるとともに、他方の係合部５０の突状部５４を一方の係合部５０の穴部５６に嵌合させて、係合部５０同士を係合させ、また、一方の係合部６０の突状部６４を他方の係合部６０の穴部６６に嵌合するとともに、他方の係合部６０の突状部６４を一方の係合部６０の穴部６６に嵌合させて、係合部６０同士を係合させることにより、図１９〜図２７に示すように、右眼用のレンズ入り個別パックＣ１２０と左眼用のレンズ入り個別パックＣ１２０を一体にすることができる。
【００９３】
なお、係合部５０同士と係合部６０同士が係合することにより右眼用のレンズ入り個別パックＣ１２０と左眼用のレンズ入り個別パックＣ１２０とが一体になった状態では、一方の包装容器１０の右側面側の部分と他方の包装容器１０の右側面側の部分とが、上記したように隙間なく対向する（図２３参照）とともに、一方の包装容器１０の左側面側の部分と他方の包装容器１０の左側面側の部分とが、上記したように隙間なく対向する（図２４参照）。
【００９４】
また、レンズ入り個別パックユニットＵの状態では、レンズ入り個別パックユニットＵにおける前後方向の両側の面において、図２１、図２２に示すように、一方の包装容器１０における正面壁部４２と他方の包装容器１０における傾斜部３６とが対向するが、図２１、図２２に示すように、正面壁部４２の辺部４２ａ、４２ｂの領域では傾斜部３６との隙間は狭いものの、辺部４２ｃの領域では、傾斜部３６とは隙間が形成され、正面壁部４２の辺部４２ｃと傾斜部３６の背面側の辺部３６ｃにより、開口部１０Ｋが形成される。この開口部１０Ｋは、手の指を掛止可能な大きさに形成されている。
【００９５】
また、レンズ入り個別パックユニットＵの状態では、図２７に示すように、２つのレンズ収納部２０は互いに接することはない。また、一方の包装容器１０のレンズ収納部２０は、他方の包装容器１０のフランジ部本体３２に接し、他方の包装容器１０のレンズ収納部２０は、一方の包装容器１０のフランジ部本体３２に接する。なお、一方の包装容器１０のレンズ収納部２０が、他方の包装容器１０のフランジ部本体３２に接するのではなく近接し、他方の包装容器１０のレンズ収納部２０は、一方の包装容器１０のフランジ部本体３２に接するのではなく近接する構成としてもよい。
【００９６】
また、レンズ入り個別パックユニットＵの状態では、一方の包装容器１０において、レンズ収納部２０は一方の包装容器１０の係合部５０、６０に接することはなく、また、他方の包装容器１０において、レンズ収納部２０は他方の包装容器１０の係合部５０、６０に接することはないが、一方の包装容器１０において、レンズ収納部２０は他方の包装容器１０の係合部５０、６０に接することはなく、また、他方の包装容器１０において、レンズ収納部２０は一方の包装容器１０の係合部５０、６０に接することはない。
【００９７】
以上のようにして、右眼用のレンズ入り個別パックＣ１２０と左眼用のレンズ入り個別パックＣ１２０を一体にすることができるので、レンズ入り個別パックユニットＵの状態で携帯する。よって、右眼用のコンタクトレンズを収納した個別パックと左眼用のコンタクトレンズを収納した個別パックとを別々に携帯する煩わしさがなく、また、右眼用のコンタクトレンズを収納した個別パックと左眼用のコンタクトレンズを収納した個別パックとを一緒にして携帯するために、袋に入れて携帯する必要がない。
【００９８】
また、レンズ入り個別パックユニットＵからコンタクトレンズ１６０を取り出す場合には、レンズ入り個別パックユニットＵを各レンズ入り個別パックごとに分離し、所望のコンタクトレンズが入ったレンズ入り個別パックＣ１２０からコンタクトレンズを取り出す。
【００９９】
すなわち、レンズ入り個別パックユニットＵを各レンズ入り個別パックごとに分離するには、係合部５０と係合部６０の係合を解除させる。レンズ入り個別パックユニットＵにおける前後方向の両側の面には開口部１０Ｋが設けられるので、開口部１０Ｋに指を掛止させることにより係合を解除する操作を容易に行なうことができる。例えば、図２１において、レンズ入り個別パックＣ１２０Ｂの包装容器１０の傾斜部３６の辺部３６ｃに一方の指を掛止した状態で、他方の指をレンズ入り個別パックＣ１２０Ａの包装容器１０の正面壁部４２の辺部４２ｃに掛止させてレンズ入り個別パックＣ１２０Ｂの傾斜部３６から離間させるように引っ張ることにより係合部５０、６０の係合を解除することができる。
【０１００】
各レンズ入り個別パックごとに分離したら、所望のコンタクトレンズが入ったレンズ入り個別パックＣ１２０における個別カバーシート９０を包装容器１０に対して剥がして、コンタクトレンズ１６０を取り出す。個別カバーシート９０を剥がす際には、傾斜部３６がフランジ部本体３２に対して屈曲しているので、個別カバーシート９０と傾斜部３６との間には図２７に示すように隙間が形成される。よって、個別カバーシート９０における傾斜部３６側の端部を容易に指でつかむことができるので、個別カバーシート９０を容易に剥がすことができる。
【０１０１】
以上のように、一対の包装容器１０は、係合部５０と係合部６０により一体化することができ、一方の係合部５０の突状部５４を他方の係合部５０の穴部５６に嵌合させるとともに、他方の係合部５０の突状部５４を一方の係合部５０の穴部５６に嵌合させることにより係合部５０同士が係合し、また、一方の係合部６０の突状部６４を他方の係合部６０の穴部６６に嵌合させるとともに、他方の係合部６０の突状部６４を一方の係合部６０の穴部６６に嵌合させることにより係合部６０同士が係合するので、一対の包装容器を１つにユニット化した状態から各包装容器が互いにずれるおそれがない。
【０１０２】
また、包装容器１０において、係合部５０、６０は壁部４０の内側に設けられていて、一対の包装容器１０が係合部５０と係合部６０により一体化した状態でも、係合部５０、６０は壁部４０の内側に設けられているので、ユニット化するための部材（つまり、係合部５０、６０）が外部と接触することにより容易にユニット化が解除されることがない。特に、係合部５０、６０は一対の壁部４０によりカバーされて外部から見えない状態となるので、ユニット化するための部材（つまり、係合部５０、６０）が外部と接触することにより容易にユニット化が解除されることがない。
【０１０３】
また、係合部５０の高さ方向の長さは、右壁部４４の高さ方向の長さよりも短く形成され、係合部６０の高さ方向の長さは、左壁部４６の高さ方向の長さよりも短く形成されているので、一対の包装容器１０をユニット化するための部材（つまり、係合部５０、６０）が包装容器１０を単体として使用する場合に邪魔となることがない。さらには、包装容器１０の右側面視において、係合部５０のほとんどが右壁部４４に隠れて構成され（図９参照）、また、包装容器１０の左側面視において、係合部６０のほとんどが左壁部４６に隠れて構成されている（図１０参照）ので、これによっても、一対の包装容器１０をユニット化するための部材（つまり、係合部５０、６０）が包装容器１０を単体として使用する場合に邪魔となることがない。
【０１０４】
すなわち、特許文献１のコンタクトレンズパッケージにおける副壁は、主壁と摩擦によりかみ合うために高さ方向に長く形成され（特許文献１の図４、図５に示すように、副壁の高さ方向の長さは主壁の高さ方向と同じ長さに形成されている）、ユニット化を解除して１つのコンタクトレンズパッケージを使用する場合には、副壁が他に接触するおそれが高く、副壁が邪魔となるという問題があり、同様に、特許文献２の第１の態様の足部や第２の態様の足部がサポートの周囲から突出して形成されており、第１の態様の足部は、他方のパッケージのスカートに係合するために長く形成され、第２の態様の足部は、他方のパッケージの足部とかみ合うために他方のパッケージのスカートに達する程度にまで長く形成されているので、ユニット化を解除して１つのコンタクトレンズパッケージを使用する場合には、足部が他に接触するおそれが高く、足部が邪魔となるという問題がある。つまり、特許文献１や特許文献２のパッケージでは、一対の包装容器を１つにユニット化するための部材がパッケージを単体として使用する場合には邪魔となるという問題があるが、本実施例の包装容器１０では、一対の包装容器１０をユニット化するための部材（つまり、係合部５０、６０）が包装容器１０を単体として使用する場合に邪魔となることがない。
【０１０５】
なお、上記の説明において、係合部５０と係合部６０において、突状部５４は穴部５６よりも背面側に設けられ、突状部６４は穴部６６よりも正面側に設けられているとしたが、突状部５４は穴部５６よりも正面側（正面側と背面側の一方の側）に設けられ、突状部６４は穴部６６よりも背面側（正面側と背面側の他方の側）に設けられた構成としてもよい。つまり、この場合には、突状部５４が、正面側と背面側の一方である第１の側（つまり、正面側）に設けられるとともに、穴部５６が正面側と背面側の他方である第２の側（つまり、背面側）に設けられ、突状部６４が、第２の側（つまり、背面側）に設けられるとともに、穴部５６が第１の側（つまり、正面側）に設けられる。
【０１０６】
なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【符号の説明】
【０１０７】
１０  コンタクトレンズ用包装容器（包装容器）
２０  レンズ収納部
３０  フランジ部
３２  フランジ部本体
３２ａ、３２ｂ、３６ａ、３６ｂ  端部
３４  突出部
３６  傾斜部
４０  壁部
４２  正面壁部
４４  右壁部
４４−１、４４−２、４４−３、４６−１、４６−２、４６−３  領域
４２ａ、４２ｂ、４２ｃ、４４ａ、４４ｂ、４４ｃ、４６ａ、４６ｂ、４６ｃ  辺部
４６  左壁部
５０、６０  係合部
５２、６２  係合部本体
５４、６４  突状部
５６、６６  穴部
８０  カバーシート
８２  切目線
９０  個別カバーシート
１１０  ブリスターパック
Ｃ１１０  コンタクトレンズ入りブリスターパック（レンズ入りパック）
１２０  個別パック
Ｃ１２０  レンズ入り個別パック
１５０  溶液
１６０  コンタクトレンズ
３００  コンタクトレンズ包装体
Ｕ  レンズ入り個別パックユニット
１０Ｋ  開口部
【要約】
【課題】一対の包装容器を１つにユニット化した状態から各包装容器が互いにずれるおそれがなく、また、ユニット化された状態において、ユニット化するための部材が外部と接触することにより容易にユニット化が解除されることがないコンタクトレンズ包装容器を提供する。
【解決手段】包装容器１０は、フランジ部３０と、レンズ収納部２０と、壁部４０と、係合部５０、６０とを有し、係合部５０は、係合部本体５２と、突状部５４と、穴部５６とを有し、係合部６０は、係合部本体６２と、突状部６４と、穴部６６とを有し、２つの包装容器１０の下面側を互いに対向させるとともに、包装容器１０の前後方向の向きを逆にして、一方の係合部５０の突状部５４を他方の穴部５６に嵌合させて係合部５０同士を係合させ、一方の係合部６０の突状部６４を他方の穴部６６に嵌合させて係合部６０同士を係合させることにより２つの包装容器が一体に組み立てられる。
【選択図】図１【図１】
0005613795.tif 000002
【図２】
0005613795.tif 000003
【図３】
0005613795.tif 000004
【図４】
0005613795.tif 000005
【図５】
0005613795.tif 000006
【図６】
0005613795.tif 000007
【図７】
0005613795.tif 000008
【図８】
0005613795.tif 000009
【図９】
0005613795.tif 000010
【図１０】
0005613795.tif 000011
【図１１】
0005613795.tif 000012
【図１２】
0005613795.tif 000013
【図１３】
0005613795.tif 000014
【図１４】
0005613795.tif 000015
【図１５】
0005613795.tif 000016
【図１６】
0005613795.tif 000017
【図１７】
0005613795.tif 000018
【図１８】
0005613795.tif 000019
【図１９】
0005613795.tif 000020
【図２０】
0005613795.tif 000021
【図２１】
0005613795.tif 000022
【図２２】
0005613795.tif 000023
【図２３】
0005613795.tif 000024
【図２４】
0005613795.tif 000025
【図２５】
0005613795.tif 000026
【図２６】
0005613795.tif 000027
【図２７】
0005613795.tif 000028